(57)【要約】【課題】      ディスクケースに２枚のディスクを収納するようにすると共に、ディスクケースがショップでの陳列ケースに転用することを可能にした。【解決手段】  内面にディスクＡのセンタ孔ａを着脱自在に保持する保持手段１を有する箱体２と、この箱体の一側にヒンジを介し開閉自在に設けた蓋体４とからなるディスクケースＫにおいて、上記箱体の周囲上面を開放させた挿入口１２を設け、この挿入口に嵌め込んだ閉鎖部材１５の両端と上記箱体の周囲両側壁の上端内面とに着脱自在な嵌合係止部を設け、上記箱体の周囲両側壁の下部内面に上記閉鎖部材の両端嵌合係止部を着脱自在に係止する上げ底用嵌合係止部１６′を設け、板面の中央部にディスクのセンタ孔を着脱自在に保持する保持手段１を有するディスク支持板１８の両側縁上端と上記箱体の両側壁内面の上部とに着脱式の取付部１９を設けたディスクケースを採用する。【選択図】    図３
2005298002.tif 000002
【特許請求の範囲】
【請求項１】
内面にディスクのセンタ孔を着脱自在に保持する保持手段を有する箱体と、この箱体の一側にヒンジを介し開閉自在に設けた蓋体とからなるディスクケースにおいて、上記箱体の周囲上面を開放させた挿入口を設け、この挿入口に嵌め込んだ閉鎖部材の両端と上記箱体の周囲両側壁の上端内面とに着脱自在な嵌合係止部を設け、上記箱体の周囲両側壁の下部内面に上記閉鎖部材の両端嵌合係止部を着脱自在に係止する上げ底用嵌合係止部を設け、板面の中央部にディスクのセンタ孔を着脱自在に保持する保持手段を有するディスク支持板の両側縁上端と上記箱体の両側壁内面の上部とに着脱式の取付部を設けたことを特徴とするディスクケース。
【請求項２】
前記上げ底用嵌合係止部が、上下に複数段設けたことを特徴とする請求項１に記載のディスクケース。
【請求項３】
前記蓋体の内側に設けてある掛合部に、ディスク支持板の保持手段の押え込み阻止環状部材から連なる腕部の末端掛合片を着脱自在に取付けたことを特徴とする請求項１に記載のディスクケース。
【発明の詳細な説明】
【技術分野】
【０００１】
この発明は、二枚のディスクを収納することができ、またショップ側で陳列ケースに転用することができるようにしたディスクケースに関する。
【背景技術】
【０００２】
メーカーから出荷される音楽や映像などを記録してあるディスクは、専用のディスクケースに収納してある（例えば、特許文献１参照）。
【０００３】
【特許文献１】特許第２８６３３１７号公報（図１、図２）
【発明の開示】
【発明が解決しようとする課題】
【０００４】
ところで、特許文献１のディスクボックスは、ヒンジによって接続されたスパイン部を有するふた部と基部（箱体）とからなり、基部内の中央に設けてあるボタン状部材によって収納するディスクのセンタ孔を保持するようになっているので、１つのボックスに対し１枚のディスクしか収納することができない。
【０００５】
しかしながら、ディスクが２枚１組（前編、後編などにわかれたもの）の場合、２つのボックスにディスクを別々に収納することになる。
【０００６】
すると、２つ１組のボックスが分散しないようにするには、例えば透明な別途ケースに２組のボックスを収納して陳列するので、使用する別途ケースを用意しなければならない手間などで大幅なコストアップになる問題があった。
【０００７】
また、ショップ側でレンタルのため陳列する場合、ショップ側の収納ケースにディスクを収納して、ショップ側の陳列ケースに収納ケースを挿入（陳列ケースの上面挿入口から）するので、手間がかかる共に、ショップ側の大幅な出費になる問題もあった。
【０００８】
そこで、この発明の課題は、１つのディスクケースに２枚のディスクを収納することができ、ディスクを取り出した空のディスクケースをショップの陳列ケースとして転用することができるようにしたディスクケースを提供することにある。
【課題を解決するための手段】
【０００９】
上記の構成を解決するために、この発明は、内面にディスクのセンタ孔を着脱自在に保持する保持手段を有する箱体と、この箱体の一側にヒンジを介し開閉自在に設けた蓋体とからなるディスクケースにおいて、上記箱体の周囲上面を開放させた挿入口を設け、この挿入口に嵌め込んだ閉鎖部材の両端と上記箱体の周囲両側壁の上端内面とに着脱自在な嵌合係止部を設け、上記箱体の周囲両側壁の下部内面に上記閉鎖部材の両端嵌合係止部を着脱自在に係止する上げ底用嵌合係止部を設け、板面の中央部にディスクのセンタ孔を着脱自在に保持する保持手段を有するディスク支持板の両側縁上端と上記箱体の両側壁内面の上部とに着脱式の取付部を設けた構成を採用する。
【００１０】
また、前記上げ底用嵌合係止部が、上下に複数段設けることもある。
【００１１】
さらに、前記蓋体の内側に設けてある掛合部に、ディスク支持板の保持手段の押え込み阻止環状部材から連なる腕部の末端掛合片を着脱自在に取付けることもある。
【発明の効果】
【００１２】
以上のように、この発明のディスクケースによれば、箱体と支持板とのそれぞれの保持手段にセンタ孔を保持させて１つのケースに２枚のディスクを収納することができると共に、取り外したディスクをショップ側の収納ケースに収納し、ケースから取り外したディスク支持板をショップ側に回収し、かつ閉鎖部材の両端嵌合係止部を上げ底用嵌合係止部に係止することで、挿入口から挿入した収納ケースの底を閉鎖部材により受架して、挿入口から上方に収納ケースの上部を突出させることができるので、商品の有無がわかって、例えば貸し出し（レンタル）可能な旨を知らせることができる。勿論、ケースを販売ケースとして（このとき、ケースにディスク支持板を取付けて使用する）使用することができる。
【００１３】
また、複数段の上げ底用嵌合係止部によって閉鎖部材の位置を変更することができるので、丈の相違する収納ケースを使用することもできる。
【００１４】
さらに、蓋体に取付けた環状部材によって蓋体側から保持手段の押え込みを阻止するので、ディスクのセンタ孔から保持手段が外れることがない。
【００１５】
このため、ケース内でディスクの脱落がない。
【００１６】
そして、蓋体の掛合部から掛合片を取り外して挿入口から腕部の末端を差し込みながら、閉鎖部材に掛合片を掛合することで、環状部材を引っかけてケースを掛吊することができる。
【発明を実施するための最良の形態】
【００１７】
以下、この発明の実施の形態を添付図面に基づいて説明する。
【００１８】
この発明の第１の実施形態では、図１から図５に示すように、内面にディスクＡのセンタ孔ａを着脱自在に保持する保持手段１を有する箱体２と、この箱体２の一側にヒンジ３を介し開閉自在に設けた蓋体４とでディスクケースＫを形成する。
【００１９】
上記ディスクケースＫを形成する箱体２及び蓋体４は、図示の場合、連結壁５の両側縁にハーフカットのヒンジ３を介し箱側主壁６及び蓋側主壁７を連成して、箱側主壁６の上縁以外の辺縁から連なって箱側主壁６の裏面方向に突出する周壁としての両側壁８、８及び底壁９を設けて箱体２とし、蓋側主壁７のヒンジ３を有しない側縁と下縁から連なって蓋側主壁７の裏面方向に突出する側壁１０（側壁８の外側に被さる）及び底壁１１（底壁９の外側に被さる）を設けて蓋体４とする。
【００２０】
その際、箱体２の周壁の存在しない部分が挿入口１２になる。
【００２１】
なお、ディスクケースＫの構成は、上記に限定されず、例えば別々に形成（成形による）した挿入口を有する箱体に例えばピンヒンジにより蓋体を開閉自在に取付けたものであってもよい。
【００２２】
そして、ディスクケースＫの表面には、図示のように、両側縁の片方を箱側主壁６の表面側縁に、もう片方を蓋側主壁７の表面側縁にそれぞれ取付けた（熱溶着や接着剤などで）透明なフィルム１３の内側に収納ディスクＡに見合う印刷紙１４が組み入れてある。
【００２３】
また、上記挿入口１２は、着脱自在な閉鎖部材１５によって閉鎖することができ、箱体２に対する閉鎖部材１５の着脱は、図５に示すように、閉鎖部材１５の両端と両側壁８、８の内面上端しに設けてある嵌合係止部１６を設けて、閉鎖部材１５の嵌合係止部１６と側壁８、８の嵌合係止部１６とを嵌め込んで、嵌め込みによる係止関係によって取付けるようにしてある。
【００２４】
取付けた閉鎖部材１５は、閉鎖した蓋体４の蓋側主壁７が閉鎖部材１５に重なり合って（図３に示すように）箱体２から閉鎖部材１５が外れないようになっている。
【００２５】
上記の嵌合係止部１６は、図示の場合閉鎖部材１５の両端に突起を、側壁８に嵌起の嵌入溝条を設けたが、逆にすることもできる。
【００２６】
さらに、両側壁８、８の内面下部には、複数段の嵌合係止部１６′が設けてある。
【００２７】
上記嵌合係止部１６′を設ける要因は、挿入口１２を閉鎖する閉鎖部材１５を取り外し、取り外した閉鎖部材１５の嵌合係止部１６を複数段の所望段の嵌合係止部１６′に嵌め込んで取付け、この取付けによって閉鎖部材１５が上げ底として（その目的は、後述する）使用する。
【００２８】
上記の嵌合係止部１６′は、側壁８の内面上端の嵌合係止部１６と同様につき説明を省略する。
【００２９】
また、箱体２内には、板面の中央にディスクＡのセンタ孔ａを着脱自在に保持する保持手段１を有するディスク支持板１８の両側縁が側壁８、８の内面に取付部１９を介し着脱自在に取付けてある。
【００３０】
上記の取付部１９は、図示の場合両側壁８、８の貫孔２０にディスク支持板１８の両側縁上端の突起２１を嵌入して着脱自在に取付けるようにしたが、その他の構成によって箱体２に対してディスク支持板１８を着脱自在に取付けるようにしてもよい。
【００３１】
なお、保持手段１は、周知のようにセンタ孔ａを嵌め込んで押し込むことにより各爪が縮径方向に押し戻され、嵌め込み終了にともない拡径する爪がセンタ孔ａに引っかかってディスクＡを支持するようになっている。
【００３２】
上記のように構成すると、箱体２の保持手段１によりディスクＡのセンタ孔ａを保持し、また箱体２に取付部１９を介し取付けてあるディスク支持板１８の保持手段１によりディスクＡのセンタ孔ａを保持して、図２、３に示すように１つのディスクケースＫに２枚のディスクＡを収納する。
【００３３】
上記のディスクケースＫをショップの陳列ケースとして使用する場合は、まず箱体２側のディスクＡ及びディスク支持板１８側のディスクＡを取り外して、ショップ側の収納ケースＳに２枚のディスクを収納する。
【００３４】
また、挿入口１２を閉鎖していた閉鎖部材１５を取り外して、所要段の嵌合係止部１６′と閉鎖部材１５の端の嵌合係止部１６とを嵌め込み係止させて、箱体２内に閉鎖部材１５を架設しておく。
そして、蓋体４を閉鎖する。
【００３５】
すると、挿入口１２から挿入した収納ケースＳの下面を閉鎖部材１５により受架して、ディスクケースＫの挿入口１２の上方に収納ケースＳの上部を突出させる。
【００３６】
この突出せさる要因は、陳列ケースに転用したディスクケースＫに対し収納ケースＳの有無の旨を知らせることにある。
【００３７】
そして、架設する閉鎖部材１５を、複数段の嵌合係止部１６′の上段（図６参照）、中断（図７参照）、下段（図８参照）とかけ替えすることによって、収納ケースＳの丈の長さによって使い分けることができる。
【００３８】
なお、下段の嵌合係止部１６′によって収納ケースＳの下面を受架することもある。
【００３９】
その際、図８に示すように、箱体２の底に閉鎖部材１５を収納して、閉鎖部材１５の紛失を防止する。
【００４０】
勿論、箱体２から取外したディスク支持板１８は、ショップ側で保管する。
【００４１】
上記ディスク支持板１８の取り外しは、片方の側壁８を外方に押し戻しながら、貫孔２０から突起２１を脱出させ、次いでもう片方の突起２１を貫孔２０から脱出させて行なう。
【００４２】
図中２６はディスク支持板１８の裏面に設けた箱体２側で支持したディスクＡの板面保護部材である。
【００４３】
この発明の第２の実施形態では、図１、２、４及び図９に示すように、蓋体４の内側には、ディスク支持板１８の保持手段１の外側に嵌装すると共に、保持手段１の押え込み環状部材３１から連なる腕部３２の末端が着脱自在になっている。
【００４４】
上記の着脱は、図２に示すように蓋体４側の掛合部３３に腕部３２の末端掛合片３４が取付けられる。
【００４５】
上記の掛合部３３は、蓋側主壁７の裏面から突出する突条３５と、倒立Ｌ形の抱き込み片３６とからなり、突条３５と抱き込み片３６の一端側から内側にＬ形の掛合片３４を差し込んで、抱き込み片３６により浮き上がりを防止するようになっている。
【００４６】
すると、蓋体４の閉鎖状況下に蓋側主壁７を閉方に押圧しても、支持手段１の外側に被さる環状部材３１によって支持手段１の縮径が阻止されて、ディスクＡの安定した保持を保障する。
【００４７】
そして、掛合部３３から掛合片３４を取り外して、図９に示すように閉鎖部材１５と箱側主壁６との間に腕部３２の末端側を無理矢理差し込み、通過した掛合片３４が閉鎖部材１５に引っかかって上方に腕部３２が抜けないようにしておくと、図９、１０に示すように環状部材３１に杆材４１を貫通させて掛吊状に陳列することができる。
【００４８】
その際、図１１に示すように環状部材３１をＣ字状に切り離して（フック状にして）おくと、掛吊陳列ディスクケースＫの杆材４１に対する取り外しがスムーズになる。
【図面の簡単な説明】
【００４９】
【図１】この発明のディスクケースの第１の実施形態を示す斜視図
【図２】ディスクケースの展開平面図
【図３】ディスクケースの縦断側面図
【図４】同横断平面図
【図５】嵌合係止部を示す分解斜視図
【図６】ディスクケースに収納ケースを挿入した一部切欠側面図
【図７】丈の異なる収納ケースを挿入した一部切欠側面図
【図８】同丈の異なる収納ケースを挿入した一部切欠側面図
【図９】ディスクケースの陳列を示す一部切欠側面図
【図１０】他の陳列を示す斜視図
【図１１】同他の陳列を示す斜視図
【符号の説明】
【００５０】
Ａ          ディスク
ａ          センタ孔
１          保持手段
２          箱体
３          ヒンジ
４          蓋体
５          連結壁
６          箱側主壁
７          蓋側主壁
８          側壁
９          底壁
１０        側壁
１１        底壁
１２        挿入口
１３        フィルム
１４        印刷紙
１５        閉鎖部材
１６、１６′嵌合係止部
１８        ディスク支持板
１９        取付部
２０        貫孔
２１        突起
３１        環状部材
３２        腕部
３３        掛止部
３４        掛合片
３５        突条
３６        抱き込み片
Ｋ          ディスクケース
Ｓ          収納ケース
【図１】
2005298002.tif 000003
【図２】
2005298002.tif 000004
【図３】
2005298002.tif 000005
【図４】
2005298002.tif 000006
【図５】
2005298002.tif 000007
【図６】
2005298002.tif 000008
【図７】
2005298002.tif 000009
【図８】
2005298002.tif 000010
【図９】
2005298002.tif 000011
【図１０】
2005298002.tif 000012
【図１１】
2005298002.tif 000013